(57)【要約】【課題】衣服を着用した際の実際上の具体的イメージの把握が容易であり、例えばキャラクター人物あるいは使用者本人があたかも実際的に着用しているようなイメージを与えるばかりでなく、実際の衣服による着せ替え的な装飾物として利用もできるようにする。【解決手段】掛け部２、支持バー部３を備えたハンガー本体１に、上端が係止部５となっていて、人体の頸部、頭部の上下高さと同程度の長さを備えた伸長部６を備えたフック杆４を掛け部２の頂部で連繋する。また、ハンガー本体１の掛け部２、係止部５、伸長部６を覆うように、所定のキャラクターを表示したキャラクター盤１０をハンガー本体１に被せて組み合わせる。キャラクター盤１０は、キャラクターの正面を表示する正面片１１、背面を表示する背面片１２を前後に配して成り、背面片１２に係止部５の外出口を開口形成する。【選択図】図１
0003196691.tif 000002
【実用新案登録請求の範囲】
【請求項１】
掛け部、支持バー部を備えたハンガー本体に、上端が係止部となっていて、人体における頸部及び頭部の上下高さとほぼ同程度となる長さを備えた伸長部を備えたフック杆を掛け部の頂部で連繋すると共に、所定のキャラクターが表示されていて、ハンガー本体における掛け部、係止部、伸長部を覆うキャラクター盤を設け、このキャラクター盤をハンガー本体に被せて成ることを特徴とするキャラクターハンガー。
【請求項２】
キャラクター盤は、ハンガー本体の正面を覆うよう、所定のキャラクターの正面を表示している正面片、同様に背面を表示している背面片を前後に配して成る請求項１に記載のキャラクターハンガー。
【請求項３】
キャラクター盤の背面には、ハンガー本体のフック杆の係止部を外出させる切込状の外出口を開口形成してある請求項１または２に記載のキャラクターハンガー。
【請求項４】
フック杆の係止部は、係止部におけるほぼＣ字状の曲がり方向とは逆方向に曲げられている係止箇所調整部を介して伸長部に連続している請求項１乃至３のいずれかに記載のキャラクターハンガー。
【請求項５】
掛け部、支持バー部を備えたハンガー本体に、上端が係止部となっていて、人体における頸部及び頭部の上下高さとほぼ同程度となる長さを備えた伸長部を備えたフック杆を掛け部の頂部で連繋すると共に、所定のキャラクターが表示されていて、ハンガー本体における掛け部、係止部、伸長部を覆うキャラクター盤を設け、このキャラクター盤をハンガー本体に被せて成り、キャラクター盤は、ハンガー本体の正面を覆うよう、所定のキャラクターの正面を表示している正面片、同様に背面を表示している背面片を前後に配して形成すると共に、キャラクター盤の背面には、ハンガー本体のフック杆の係止部を外出させる切込状の外出口を開口形成し、フック杆の係止部は、係止部におけるほぼＣ字状の曲がり方向とは逆方向に曲げられている係止箇所調整部を介して伸長部に連続していることを特徴とするキャラクターハンガー。
【考案の詳細な説明】
【技術分野】
【０００１】
この考案は、上着等の衣服を吊り下げ支持させるとき、有名人・タレント・俳優その他の所定のキャラクターがあたかも着用しているような、あるいは使用者本人が着用しているような印象を与え、更には実際の衣服による着せ替え的な装飾も楽しむことができるようにしたキャラクターハンガーに関する。
【背景技術】
【０００２】
従来から、上着その他の衣服はハンガーによって支持された状態で例えば壁面、ハンガーラック、つり棚、タンス内等に保管されることが多く、また様々に使用勝手を向上させたり、特別な態様で支持させたりするように各種のハンガーが提案されている。例えば特許文献１に示されるハンガー兼用の折りたたみ式ぬいぐるみ、特許文献２に示されるリアリティキャラクター像プリントハンガー、特許文献３に示される衣服用ハンガー等である。特許文献１の折りたたみ式ぬいぐるみは、外観がキャラクター・動物を形取ったぬいぐるみにおける例えば腕部分を上方に折り曲げてコンパクトにたたむことができるようにしている。特許文献２のプリントハンガーは、等身大のリアリティキャラクター像となる空気袋によって立体的に構成して成る。特許文献３の衣服掛けは、ハンガー本体の上部に、上方に行くに従い次第に広幅となるほぼ台形状の吊り下げ部材を設けておき、この吊り下げ部材自体で二股状あるいは並行した２本のレールによるハンガー固定具に掛止できるようにして成る。
【先行技術文献】
【特許文献】
【０００３】
【特許文献１】特開平７−２５５５８５号公報
【特許文献２】特開２００４−９７７６５号公報
【特許文献３】特開２０１０−２８４４０６号公報
【考案の概要】
【考案が解決しようとする課題】
【０００４】
上記した従来のハンガー類によると、特許文献１のぬいぐるみではぬいぐるみ自体をハンガーとして利用し、不使用時ではコンパクトに折りたたみ可能としても、ぬいぐるみをハンガー兼用とするにすぎない。特許文献２のプリントハンガーでは等身大のリアリティあるキャラクター像による面白みが得られても、立体的で嵩張るから、その吊り提げ場所には自ずから制約される。特許文献３の衣服掛けは、吊り下げ部材自体を掛止するか、握持するかしか支持できないから、使用勝手はあまり良くはない。しかも、これらの従来のハンガー類では、衣服を掛けて支持させた場合であっても、着用者自身にとっては実際上にその衣服を着用した際の具体的イメージが把握しにくいものである。
【０００５】
そこでこの考案は上述したような従来存した諸事情に鑑み案出されたもので、その目的は、衣服を着用した際の実際上の具体的イメージの把握が容易であるようにし、しかもあたかも使用者本人が実際的に着用しているイメージが得られるばかりでなく、実際の衣服による着せ替え的な装飾物として利用もできる等のキャラクターハンガーを提供することにある。
【課題を解決するための手段】
【０００６】
上述した課題を解決するため、この考案にあっては、後述する考案を実施するための形態における使用符号を付記して説明すると、掛け部２、支持バー部３を備えたハンガー本体１に、上端が係止部５となっていて、人体における頸部及び頭部の上下高さとほぼ同程度となる長さを備えた伸長部６を備えたフック杆４を掛け部２の頂部で連繋すると共に、所定のキャラクターが表示されていて、ハンガー本体１における掛け部２、係止部５、伸長部６を覆うキャラクター盤１０を設け、このキャラクター盤１０をハンガー本体１に被せて成ることを特徴とする。
キャラクター盤１０は、ハンガー本体１の正面を覆うよう、所定のキャラクターの正面を表示している正面片１１、同様に背面を表示している背面片１２を前後に配して構成することができる。
キャラクター盤１０の背面には、ハンガー本体１のフック杆４の係止部５を外出させる切込状の外出口１３を開口形成して構成することができる。
フック杆４の係止部５は、係止部５におけるほぼＣ字状の曲がり方向とは逆方向に曲げられている係止箇所調整部７を介して伸長部６に連続しているものとして構成することができる。
【０００７】
以上のように構成されたこの考案に係るキャラクターハンガーにあって、キャラクター盤１０によって覆われたハンガー本体１は、これの掛け部２部分によって上着等の衣服Ｃを掛けさせ、掛けさせた状態では、キャラクター盤１０の正面に表示されている所定のキャラクターがその衣服Ｃを着用しているイメージを与える。
ハンガー本体１におけるフック杆４の伸長部６は、その上下長さによって、キャラクター盤１０に表示された所定のキャラクターにおける例えば肩部、頸部、顔面部等の正面全体に相当する正面片１１を支持させる。
また、キャラクター盤１０の背面片１２における外出口１３は、フック杆４の係止部５を外出させるも、係止部５自体はキャラクター盤１０の正面片１１にて隠蔽されることで、キャラクター盤１０に表示された所定のキャラクターのイメージを損なわせさせない。
係止箇所調整部７は、係止部５における曲がり方向とは逆に曲げられていることで、伸長部６による鉛直状の吊り下げ方向に対して若干のズレを設定し、例えば係止部５を鴨居Ｋ等に掛止したときの鴨居Ｋの厚さを回避し、掛け部２によって衣服Ｃ等を鉛直状に吊り下げ支持させる。
【考案の効果】
【０００８】
この考案は以上説明したように構成されているため、ハンガー本体１自体は、所定のキャラクターが表示されているキャラクター盤１０によって覆われているから、これに衣服Ｃ等が吊持されると、そのキャラクター等の人物が衣服Ｃを着用しているイメージを与え、例えば部屋で支持されているときには、その装飾にも役立たせる。しかもそのキャラクター自身により、更にはキャラクターとして使用者本人が表示されている場合には実際的に着用しているイメージを本人自身が具体的に把握できる。このように衣服Ｃを着用した場合の実際上の具体的イメージの把握が容易であるばかりでなく、実際の衣服Ｃによる着せ替え的な装飾物としても利用できる。
【０００９】
すなわちこれはこの考案において、上端が係止部５となっていて、人体における頸部及び頭部の上下高さとほぼ同程度となる長さを備えた伸長部６を備えたフック杆４をハンガー本体１に連繋し、所定のキャラクターが表示されているキャラクター盤１０によってハンガー本体１を覆うように設けたからであり、これによって、所定のキャラクターによる実際上の衣服Ｃの着用イメージを具体的にでき、その衣服Ｃの着用状態による装飾の利用で部屋等における装飾雰囲気のイメージアップ、更には実際上の衣服Ｃによる着せ替え的な興趣性の楽しみ等を得ることができる。
【００１０】
また、ハンガー本体１におけるフック杆４は、人体における頸部及び頭部の上下高さとほぼ同程度となる長さを備えた伸長部６を備えており、しかもフック杆４の係止部５は、キャラクター盤１０の背面で外出口１３から外出されているから、ハンガー本体１を覆っているキャラクター盤１０をいわば立てた状態でしっかりと支持でき、正面に表示されている所定のキャラクターを際だたせることができる。
【００１１】
キャラクター盤１０の正面に表示されるキャラクターは、有名人・タレント・俳優その他としたり、この考案ハンガーを使用する使用者本人としたり、場合によっては擬人的な動物その他としたりすることが可能であるから、それぞれが有するイメージによる衣服Ｃの着用感を楽しむことができ、その雰囲気によるイメージをこの考案ハンガーが使用される場所、例えば部屋等の装飾に役立たせることができる。
【００１２】
ハンガー本体１における掛け部２の頂部にフック杆４を連繋し、フック杆４の係止部５はキャラクター盤１０の背面に開口形成した外出口１３から外出してあるから、係止部５自体はキャラクター盤１０の正面片１１にて隠蔽されることになり、キャラクター盤１０に表示された所定のキャラクターのイメージを損なわせることがなく、キャラクター像をそのまま楽しむことができる。
【００１３】
フック杆４の上部の係止部５は、この係止部５におけるほぼＣ字状の曲がり方向とは逆方向に曲げられている係止箇所調整部７を形成してあることで、伸長部６による鉛直状の吊り下げ方向に対し係止部５の係止による吊り下げ方向との間に若干のズレを設定できる。そのため、係止部５を壁面の突起部分である例えば鴨居Ｋに掛止したときの鴨居Ｋの肉厚部分の厚さを回避して、ハンガー本体１の掛け部２に掛けた衣服Ｃ等を鉛直状に維持でき、キャラクター盤１０の体裁を損なうことがない。そればかりでなく、係止箇所調整部７、係止部５をキャラクター盤１０の背面片１２における外出口１３からスムーズに露出状に外出させることができる。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案を実施するための一形態を示す分解斜視図である。
【図２】同じく使用状態の正面図である。
【図３】同じくその背面図である。
【図４】同じくその側断面図である。
【図５】同じく他の実施の形態における使用状態の側断面図である。
【考案を実施するための形態】
【００１６】
以下、図面を参照してこの考案を実施するための一形態を説明すると、図において示される符号１は、吊り下げる衣服Ｃ、例えばスーツ、上着の大きさに対応した幅員を有する木製、合成樹脂材製等のハンガー本体であり、正面から見て緩やかな山形を呈する二股状の掛け部２と、この掛け部２の下端相互間に架け渡されていて、パンツ等を掛けられるようにした支持バー部３とを備える。また、このハンガー本体１には、掛け部２の頂部に、所定径の番線材にて上端が例えばＣ字形状・カギ形状等の曲がり形状を呈している係止部５となって形成されたフック杆４がハンガー本体１における左右方向に沿って回転自在にして連繋されている。
【００１７】
このハンガー本体１に連繋したフック杆４は、掛け部２の頂部位置から係止部５の上端に至る位置までの長さが、通常のハンガーにおけるそれとは異なり、伸長部６によってかなりの程度で長く形成されている。すなわち、実際の人体における頸部及び頭部の上下高さとほぼ同程度となる長さ（高さ）となるように設定されており、具体的には例えば２５０〜２８０ｍｍ程度となるようにしてある。尚、係止部５における曲がり形状は例えばほぼ半円形を呈するほぼＣ字状に曲げられていて、その大きさは例えば５０〜６０ｍｍ程度となしてある。
【００１８】
また、係止部５は、図５に示すように、この係止部５におけるほぼＣ字状の曲がり方向とは逆方向に曲げられている係止箇所調整部７を介して伸長部６に連続しており、これを側方からみると略Ｓ字状を呈している。この係止箇所調整部７における曲がりの幅員の大きさは、例えば壁面の突起部分である鴨居Ｋの肉厚の厚さにほぼ対応してあって、係止部５を鴨居Ｋに掛止したとき、伸長部６による吊り下げ方向が鉛直方向にほぼ沿う程度となるようにしてある。こうすることで、伸長部６によって吊り下げられるハンガー本体１も鉛直方向に沿うことになり、衣服Ｃ等を体裁良く吊り下げさせることができる。
【００１９】
また、このハンガー本体１とは別に、ハンガー本体１における掛け部２、係止部５、伸長部６を覆うキャラクター盤１０が設けられている。このキャラクター盤１０は、ハンガー本体１の正面、背面それぞれに配置されていて、例えば人物の正面肩部分、正面頸部分、顔を呈する正面頭部分を表示している正面片１１と、同様に背面肩部分、背面頸部分、後頭を呈する背面頭部分を表示している背面片１２とを前後に配して成る。そして、これらの正面片１１、背面片１２相互を例えば図示のように扁平袋状に形成したり、あるいは図示を省略したが適当な繋ぎ片にて連結したり等するのであり、その素材は例えば合成樹脂製シート・フィルム材、厚紙等の紙製片等のシート材によるものとし、これらによって所定の外形状となるように形成してある。
【００２０】
キャラクター盤１０には、例えば有名人・タレント・俳優その他の所定のキャラクターの人物像が表示されており、あるいはこの考案ハンガーを使用する使用者本人が表示されている写真・絵とすることもでき、場合によっては擬人的にした動物、更には動物の顔部分そのもの等を表示したものであっても良い。要は、衣服Ｃ等を支持しているとき、その衣服Ｃを実際上の人物等が着用しているような印象を与えるものであれば良いもので、特に限定されるものではない。
【００２１】
また、このキャラクター盤１０の背面片１２には、前記ハンガー本体１のフック杆４の係止部５、更には係止箇所調整部７を外出させる切込状の外出口１３を開口形成してある。この外出口１３は例えばキャラクター盤１０の水平方向に沿う１本または複数本のスリット状に形成されており、ハンガー本体１を覆っているキャラクター盤１０の背面で係止部５、係止箇所調整部７等が外出されていることで、例えば壁面その他に設けられている所定のフック等の掛け具Ｊ、あるいは鴨居Ｋ等に掛けることができるようにしてある。
【００２２】
次にこれの使用の一例を説明すると、ハンガー本体１に、このハンガー本体１を覆うようにキャラクター盤１０を被せて組み合わせておき、適当な上着等の衣服Ｃを掛ければよいのであり、キャラクター盤１０の背面で外出しているフック杆４の係止部５を、例えば壁面などに固定されている掛け具Ｊに、あるいは係止箇所調整部７を経て鴨居Ｋ等に掛けることで吊持する。こうすることで、キャラクター盤１０の正面で表示されている人物等があたかもその衣服Ｃ等を着用している状態で、そこに存在しているようなイメージを醸し出すのである。
【００２３】
また、その雰囲気を、キャラクター盤１０によって表示されているキャラクター内容と共に支持させる衣服Ｃを変更することで様々に変えることも可能であり、更には着せ替え的にこれを楽しむようにしても良く、これによって衣服Ｃが吊持されている例えば部屋における異なる印象を楽しむものである。
【符号の説明】
【００２４】
Ｃ…衣服                                Ｊ…掛け具
Ｋ…鴨居
１…ハンガー本体                        ２…掛け部
３…支持バー部                          ４…フック杆
５…係止部                              ６…伸長部
７…係止箇所調整部
１０…キャラクター盤                    １１…正面片
１２…背面片                            １３…外出口
【図１】
0003196691.tif 000003
【図２】
0003196691.tif 000004
【図３】
0003196691.tif 000005
【図４】
0003196691.tif 000006
【図５】
0003196691.tif 000007